(57)【特許請求の範囲】
【請求項１】
ケーブルを通すために筐体に設けられるケーブル引出口であって、
中央に円形開口部が設けられた固定環と、
薄肉板状部材からなり、基端から先端にかけて前記固定環の前記円形開口部と同一半径の円弧状をなす内縁部が設けられた複数枚の羽根と、
この羽根の前記基端に立設される固定ピンと、
この固定ピンに対し回動不能に外挿されるローラと、
前記円形開口部よりも大きな開口部が中央に設けられた可動環と、
この可動環に立設されるレバーと、を備え、
前記固定環は、前記開口部と中心を同じくする同一円上に前記羽根と同数のピン挿通孔が円周方向へ等間隔に穿設されるとともに、外周面に環状溝が所定の幅で設けられており、
複数の前記ピン挿通孔は、前記環状溝を挟んで対をなすようにそれぞれ設けられ、
前記固定ピンは、前記ローラを前記環状溝内に配置した状態で、一対の前記ピン挿通孔に対して両端がそれぞれ回動可能に遊嵌されることで前記固定環によって回動可能に保持され、
前記ローラは前記可動環と外周面を互いに接触可能に設置され、
複数枚の前記羽根は、前記固定ピンを軸として回動させた場合に前記内縁部が前記円形開口部の周縁の一部をそれぞれ構成し、かつ、前記先端を同一の円周方向に向けるとともに、前記先端が他の前記基端の上に順次重なるように前記固定環に取り付けられており、
前記固定環には、前記レバーが先端部を突出可能に遊嵌される長孔が、所定の角度範囲内で前記可動環が回動された際に前記レバーが描く回動軌跡に沿って形成されたことを特徴とするケーブル引出口。
【請求項２】
前記ローラに代えて、スプロケットが前記固定ピンに外挿され、
前記可動環は、複数の歯が外周面に設けられて、前記スプロケットに噛合可能に設置されたことを特徴とする請求項１に記載のケーブル引出口。
【請求項３】
前記固定環が前記筐体に対してネジ部材を用いて着脱可能に取り付けられたことを特徴とする請求項１又は請求項２に記載のケーブル引出口。
【発明の詳細な説明】
【技術分野】
【０００１】
本発明は、筐体から複数本のケーブルを適宜選択して引き出す作業が発生する可能性のある各種の装置に適用されるケーブル引出口に係り、特に、小動物等の侵入を確実に防ぐことができるケーブル引出口に関する。
【背景技術】
【０００２】
一般に、配電盤の筐体に設けられたケーブル引出口は板状の蓋で塞がれているため、配電盤に可搬式測定器を接続する際には、その蓋を外して測定用の配線を引き出さなければならない。しかしながら、配電盤に接続される配線は一定の太さとは限らないため、通常、ケーブル引出口と配線との間には隙間が生じる。そのため、可搬式測定器等を配電盤に接続している間は、上述した隙間から蛇やネズミなどの小動物が侵入し、断線等の事故を引き起こす危険性がある。
【０００３】
小動物の侵入を防ぐには、ケーブル引出口と配線との隙間をガムテープや粘土状のパテを使用して塞ぐなどの方法が考えられる。しかしながら、この方法では、その都度、材料を準備しなければならず、また、隙間の加工処置と撤去処理等に費用や手間を要するため、効率的とは言えない。
このような課題に対処するものとして、従来、様々な方法が提案されており、それに関し、既に幾つかの発明や考案が開示されている。
【０００４】
例えば、特許文献１には、「ケーブル引出し口構造」という名称で、電子機器装置の種類によって引き出されるケーブルの本数が異なる場合にも対応可能なケーブル引出し口の構造に関する発明が開示されている。
この発明では、複数本のケーブルブラケットを摺動可能に複数段に並設し、これらをケーブル引出し口とケーブルとの隙間の大きさや位置に対応して移動させる構造となっている。このような構造によれば、電子機器装置の種類によって引き出されるケーブルの本数が異なる場合にもケーブルとケーブル引出し口との隙間をできるだけ小さくして、ネズミや埃等の侵入を防ぐことができる。
【０００５】
また、特許文献２には、「スライド式開閉防沫筐体パネル」という名称で、筐体の外部とのインターフェースを行うケーブル増設部の防沫防塵を考慮した筐体パネルに関する発明が開示されている。
この発明は、ケーブルが通る長孔にスライドブラケットがスライド可能に取り付けられたことを特徴とする。
このような構造によれば、ケーブルが通る開口部の面積を連続的に変更できるため、ケーブルの太さが変わった場合でも容易に防沫処理を行うことが可能である。
【先行技術文献】
【特許文献】
【０００６】
【特許文献１】特開平１０−１７３３６７号公報
【特許文献２】特開平８−１４８８４８号公報
【発明の概要】
【発明が解決しようとする課題】
【０００７】
特許文献１に記載された発明では、ケーブルブラケットが摺動する方向に対してのみ、開口部の大きさが変化する構造であるため、異なる太さのケーブルを引き出す場合には適用できない。なお、ケーブル引出し口を２段にすることで高さ方向についても開口部の大きさをある程度、調節可能となっているが、連続的に開口部の大きさを変化させることはできず、汎用性に乏しいという課題を有している。
【０００８】
特許文献２に記載された発明では、スライドブラケットが摺動する方向に対しては開口部の大きさを連続的に変化させることができるものの、それ以外の方向に対しては開口部の大きさを変化させることができない。したがって、この発明も特許文献１に記載された発明と同様に汎用性に乏しいという課題を有している。
【０００９】
本発明はかかる従来の事情に対処してなされたものであって、配電盤等の筐体から複数本のケーブルを適宜選択して引き出す際に、ケーブルと引出口の隙間を小さくして小動物等の侵入を確実に防ぐことが可能なケーブル引出口を提供することを目的とする。
【課題を解決するための手段】
【００１０】
上記目的を達成するため、第１の発明であるケーブル引出口は、ケーブルを通すために筐体に設けられるケーブル引出口であって、中央に円形開口部が設けられた固定環と、薄肉板状部材からなり、基端から先端にかけて固定環の円形開口部と同一半径の円弧状をなす内縁部が設けられた複数枚の羽根と、この羽根の基端に立設される固定ピンと、この固定ピンに対し回動不能に外挿されるローラと、円形開口部よりも大きな開口部が中央に設けられた可動環と、を備え、固定環は、開口部と中心を同じくする同一円上に羽根と同数のピン挿通孔が円周方向へ等間隔に穿設され、固定ピンは、ピン挿通孔に遊嵌されることで固定環によって回動可能に保持され、ローラは可動環と外周面を互いに接触可能に設置され、複数枚の羽根は、固定ピンを軸として回動させた場合に内縁部が円形開口部の周縁の一部をそれぞれ構成し、かつ、先端を同一の円周方向に向けるとともに、先端が他の基端の上に順次重なるように固定環に取り付けられたことを特徴とするものである。
【００１１】
このような構造のケーブル引出口においては、可動環を所定の方向へ回動させると、ローラが可動環の外周面に沿って転動する結果、固定ピンを介して各ローラにそれぞれ接続された複数枚の羽根が連動して同一方向へ同じ角度だけ回動し、その内縁部によって周縁が構成される開口部が固定環の円形開口部の内側に形成されるという作用を有する。そして、このようにして形成される開口部は、内縁部が円形開口部の周縁の一部を構成する状態から、円形開口部を塞ぐ方向へ複数枚の羽根を回動させるにしたがって、徐々に小さくなるという作用を有する。さらに、複数枚の羽根の内縁部がケーブルの外周面を均等に保持するという作用を有する。
【００１２】
また、第２の発明は、第１の発明において、固定環は、外周面に環状溝が所定の幅で設けられ、複数のピン挿通孔は、この環状溝を挟んで対をなすようにそれぞれ設けられ、固定ピンは、ローラを環状溝内に配置した状態で、一対のピン挿通孔に対して両端がそれぞれ回動可能に遊嵌されたことを特徴とするものである。
【００１３】
このような構造のケーブル引出口においては、第１の発明の作用に加え、可動環とローラが固定環の前面及び背面のいずれの側にも露出していないため、可動環を操作する際にローラや可動環に作業者の手が触れることがなく、また、可動環とローラがゴミや埃等を噛み込む可能性が低いという作用を有する。
【００１４】
第３の発明は、第２の発明において、可動環に立設されるレバーを備え、固定環には、このレバーが先端部を突出可能に遊嵌される長孔が、所定の角度範囲内で可動環が回動された際にレバーが描く回動軌跡に沿って形成されたことを特徴とするものである。
このような構造のケーブル引出口においては、第２の発明の作用に加え、レバーの操作により可動環が容易に回動するという作用を有する。
【００１５】
第４の発明は、第１の発明乃至第３の発明のいずれかにおいて、ローラに代えて、スプロケットが固定ピンに外挿され、可動環は、複数の歯が外周面に設けられて、このスプロケットに噛合可能に設置されたことを特徴とするものである。
このような構造のケーブル引出口においては、第１の発明乃至第３の発明のいずれかの作用に加え、スプロケットが可動環に対してスリップし難いという作用を有する。
【００１６】
第５の発明は、第１の発明乃至第４の発明のいずれかにおいて、固定環が筐体に対してネジ部材を用いて着脱可能に取り付けられたことを特徴とするものである。
このような構造のケーブル引出口においては、第１の発明乃至第４の発明のいずれかの作用に加え、筐体に対する取り付けや取り外しが容易であるという作用を有する。
【発明の効果】
【００１７】
第１の発明では、太さの異なる複数本のケーブルを適宜選択して配電盤等の筐体から引き出す必要がある場合であっても、複数本のケーブルの束の太さに応じて羽根の回動角度を調節することにより、ケーブルの束との隙間が小さくなるように適切な大きさの開口部を形成することが可能である。したがって、当該隙間からの小動物等の侵入を確実に防ぐことができる。また、複数枚の羽根の内縁部によって、ケーブルの外周面が均等に保持され、ケーブルが予期しない状態に捩じ曲げられるおそれがないため、それに伴う断線事故等を防ぐことができる。
【００１８】
第２の発明によれば、第１の発明の効果に加え、可動環とローラがゴミや埃等を噛み込んで故障したり、作業者が可動環やローラにうっかり触ってしまったりするなどのおそれがないため、安全に長期間使用できるという効果を奏する。
【００１９】
第３の発明によれば、第２の発明の効果に加え、可動環を回動させる操作が容易であるため、筐体からケーブルを引き出す作業を短時間で効率よく行うことができるという効果を奏する。
【００２０】
第４の発明によれば、第１の発明乃至第３の発明のいずれかの効果に加え、複数枚の羽根について、その回動角度を一致させ、全て同じタイミングで開閉させることができるため、操作性が向上するという効果を奏する。
【００２１】
第５の発明によれば、第１の発明乃至第４の発明のいずれかの効果に加え、必要に応じて簡単に交換できるという効果を奏する。
【図面の簡単な説明】
【００２２】
【図１】（ａ）は本発明の実施の形態に係るケーブル引出口の実施例１が筐体に設けられた配電盤の外観を模式的に示した斜視図であり、（ｂ）及び（ｃ）はそれぞれ同図（ａ）に示したケーブル引出口の正面図及び背面図であり、（ｄ）は同図（ｂ）におけるＡ−Ａ線矢視断面図である。
【図２】（ａ）及び（ｂ）はそれぞれ図１に示したケーブル引出口を構成する羽根と可動環の平面図であり、（ｃ）は図１に示したケーブル引出口の側面図であり、（ｄ）は同図（ｃ）におけるＢ−Ｂ線矢視断面図である。
【図３】（ａ）及び（ｂ）は図１（ｃ）において固定ピンを中心として６枚の羽根を回動させた状態を示す図である。
【図４】（ａ）及び（ｂ）は図１（ｃ）において固定ピンを中心として６枚の羽根を回動させた状態を示す図である。
【図５】（ａ）は本発明の実施の形態に係るケーブル引出口の実施例２の正面図であり、（ｂ）は同図（ａ）におけるＣ−Ｃ線矢視断面図である。
【図６】（ａ）は図５に示したケーブル引出口を構成する可動環の平面図であり、（ｂ）は実施例２のケーブル引出口の横断面図である。
【発明を実施するための形態】
【００２３】
本発明のケーブル挿入口について図１乃至図６を用いて説明する。なお、以下の説明では、配電盤を例に挙げているが、本発明は、これに限らず、複数本のケーブルの中から所定のケーブルを適宜選択して筐体から引き出す作業を伴う装置全般に対して適用可能である。
【実施例１】
【００２４】
図１（ａ）は本発明のケーブル引出口が設けられた配電盤の外観の一例を模式的に示した図である。また、図１（ｂ）は図１（ａ）においてケーブル引出口が取り付けられた箇所を部分的に拡大して示した図であり、図１（ｃ）は図１（ｂ）のケーブル引出口を配電盤の内側から見た状態を示した図である。さらに、図１（ｄ）は図１（ｂ）におけるＡ−Ａ線矢視断面図である。
図２（ａ）及び図２（ｂ）はそれぞれ図１に示したケーブル引出口を構成する羽根と可動環の平面図である。また、図２（ｃ）は図１に示したケーブル引出口の側面図であり、図２（ｄ）は図２（ｃ）におけるＢ−Ｂ線矢視断面図である。
図３（ａ）及び図３（ｂ）と図４（ａ）及び図４（ｂ）は図１（ｃ）において固定ピンを中心として６枚の羽根を回動させた状態を示す図である。
【００２５】
なお、図１（ｂ）及び図１（ｃ）と図３及び図４ではケーブルを識別し易くするためにハッチングを施し、図１（ｄ）では図が煩雑になるのを避けるためにケーブルの図示を省略している。また、図２（ｄ）ではレバーに対し、断面図であることを示すハッチングを省略している。さらに、図３及び図４では筐体の図示を省略するとともに、図が煩雑になるのを避けるため、６枚の羽根と６本の固定ピンのうち、１枚の羽根と１本の固定ピンについてのみ符号を付している。
【００２６】
図１及び図２に示すように、ケーブル引出口１ａは、配電盤１０から所定のケーブル１１を引き出すために筐体１２の一部に設けられるものであり、薄肉板状部材からなる６枚の羽根２と、この羽根２に立設される固定ピン３と、この固定ピン３を介して羽根２が回動可能に取り付けられる固定環４と、この固定環４に取り付けられる可動環５と、この可動環５の外周面に半径方向へ突出するように設けられるレバー６と、６本の固定ピン３に対し回動不能に外挿される６個のローラ７ａと、を備えている。
【００２７】
固定環４の外周面には環状溝４ａが所定の幅で設けられており、可動環５は、６個のローラ７ａと外周面を互いに接触させるとともに、この環状溝４ａに嵌め込まれた状態で固定環３によって回動可能に保持されている。固定環４の中央には円形の開口部４ｂが設けられており、この開口部４ｂと中心を同じくする同一円上に６対のピン挿通孔４ｃ，４ｃが環状溝４ａを挟んで対向し、かつ、円周方向へ等間隔に穿設されている。
【００２８】
固定ピン３は、ローラ７ａを環状溝４ｃの内部に配置した状態で、両端がピン挿通孔４ｃ，４ｃに対してそれぞれ回動可能に遊嵌されている。すなわち、羽根２とローラ７ａは一体となって回動可能に、固定ピン３を介して固定環４に取り付けられている。また、図２（ａ）に示すように、羽根２には、固定ピン３が立設される基端２ａから先端２ｂにかけて、固定環４の開口部４ｂと同一半径の円弧状をなす内縁部２ｃが設けられている。
【００２９】
６枚の羽根２は、固定ピン３を軸として回動させた場合に内縁部２ｃが円形の開口部４ｂの周縁の一部をそれぞれ構成し、かつ、先端２ｂを同一の円周方向に向けるとともに、一の羽根２の先端２ｂが他の羽根２の基端２ａの上に順次重なるようにそれぞれ固定環４に取り付けられている（図１（ｃ）参照）。
【００３０】
上記構造のケーブル引出口１ａにおいては、レバー６を操作して可動環５を所定の方向へ回動させると、６個のローラ７ａが可動環５の外周面に沿って転動する。その結果、固定ピン３を介して各ローラ７ａにそれぞれ接続された６枚の羽根２が連動して同一方向へ同じ角度だけ回動する。これにより、６枚の羽根２の内縁部２ｃによって周縁が構成される開口部８が固定環４の開口部４ｂの内側に形成される（図１（ｂ）又は図１（ｃ）参照）。また、複数枚の羽根２の内縁部２ｃがケーブル１１の外周面を均等に保持するという作用を有する。
【００３１】
なお、内縁部２ｃが開口部４ｂの周縁の一部を構成する状態から、開口部４ｂを塞ぐ方向へ６枚の羽根２を回動させるにしたがって、形成される開口部８は徐々に小さくなる。ただし、６枚の羽根２は、回動させることで開口部８以外の箇所に別の開口部が形成されることはないように、それぞれ十分な幅を有している。
【００３２】
このように、本発明のケーブル引出口１では、太さの異なる複数本のケーブルを適宜選択して配電盤１０の筐体１２から引き出す必要がある場合であっても、図３及び図４に示すように、複数本のケーブル１１の束の太さに応じて羽根２の回動角度を調節することにより、ケーブル１１の束との隙間が小さくなるように適切な大きさの開口部８を形成することが可能である。したがって、当該隙間からの小動物等の侵入を確実に防ぐことができる。
また、６枚の羽根２の内縁部２ｃによって、ケーブル１１の外周面が均等に保持され、ケーブル１１が予期しない状態に捩じ曲げられる可能性が低いため、それに伴う断線事故等が発生し難い。
なお、これらの作用や効果は、太さの異なるケーブル１１を１本だけ引き出す場合にも同様に発揮される。
【実施例２】
【００３３】
図５（ａ）は本実施例のケーブル引出口の正面図であり、図５（ｂ）は図５（ａ）におけるＣ−Ｃ線矢視断面図である。また、図６（ａ）は本実施例のケーブル引出口を構成する可動環の平面図であり、図６（ｂ）は本実施例のケーブル引出口の横断面図である。
なお、図５（ａ）及び図５（ｂ）は図１（ｂ）及び図１（ｄ）にそれぞれ対応し、図６（ａ）及び図６（ｂ）は図２（ｂ）及び図２（ｄ）にそれぞれ対応する。また、図５（ａ）では図が煩雑になるのを避けるため、６枚の羽根と６つのピン挿通孔のうち、１枚の羽根と１つのピン挿通孔についてのみ符号を付している。さらに、図１乃至図４に示した構成要素については同一の符号を付して、その説明を省略する。
【００３４】
図５及び図６に示すように、ケーブル引出口１ｂは、実施例１のケーブル引出口１ａにおいて、可動環５の外周面に半径方向へ突出するようにレバー６が設けられる代わりに、レバー６が可動環５に立設されている。また、固定環４には、このレバー６が先端部６ａを突出した状態で遊嵌される長孔４ｄが、可動環５を所定の角度範囲内で回動した際にレバー６が描く回動軌跡に沿って形成されている。さらに、ケーブル引出口１ａにおいて、ローラ７ａの代わりにスプロケット７ｂが固定ピン３に外挿され、可動環５が外周面に複数の歯５ａが設けられるとともに、このスプロケット７ｂに対して噛合可能に設置されている。そして、固定環４はネジ部材９を用いて筐体１２に対して着脱可能に取り付けられる構造となっている。
【００３５】
このような構造のケーブル引出口１ｂにおいては、レバー６を持って可動環５を容易に回動させることができるため、筐体１２からケーブル１１を引き出す作業を短時間で効率よく行うことが可能である。また、スプロケット７ｂが可動環５に対してスリップし難いため、６枚の羽根２の回動角度を一致させ、全ての羽根２を確実に同じタイミングで開閉させることができる。これにより、操作性が向上する。さらに、ケーブル引出口１ｂでは、ケーブル引出口１ａに比べて、筐体１２に対して簡単に取り付けたり、取り外したりすることができる。すなわち、交換が容易であるため、保守作業にかかる時間や手間を省くことが可能である。
【００３６】
なお、ケーブル引出口１ａ，１ｂでは羽根２の枚数が６枚となっているが、これに限らず、羽根２の枚数は適宜変更可能である。また、ケーブル引出口１ａ，１ｂでは、可動環５が環状溝４ａに嵌め込まれた状態で固定環４によって保持されているが、本発明のケーブル引出口は、この様な構造に限定されるものではない。例えば、固定環４に環状溝４ａを設ける代わりに、開口部４ｂを囲むように平面視円形をなす環状突起部を設け、この環状突起部に対して可動環５が回動可能に外挿された構造とすることもできる。
このような構造であっても可動環５の回動角度を調節することで６枚の羽根２の内縁部２ｃによって構成される開口部８を適切な大きさに形成するという作用及びそれによって、開口部８とケーブルの隙間を小さくして当該隙間からの小動物の侵入を防ぐという効果は同様に発揮される。
【００３７】
ただし、可動環５が実施例１及び実施例２で示したような構造であれば、可動環５とローラ７ａやスプロケット７ｂが固定環４の前面及び背面のいずれの側にも露出していないため、可動環５を操作する際にローラ７ａやスプロケット７ｂ及び可動環５に作業者の手が触れることがなく、また、可動環５とローラ７ａやスプロケット７ｂがゴミや埃等を噛み込む可能性が低い。したがって、安全に長期間使用することが可能である。
【産業上の利用可能性】
【００３８】
本発明は、筐体から複数本のケーブルを適宜選択して引き出す作業が発生する可能性のある各種の装置全般に対して適用可能である。
【符号の説明】
【００３９】
１ａ，１ｂ…ケーブル引出口  ２…羽根  ２ａ…基端  ２ｂ…先端  ２ｃ…内縁部  ３…固定ピン  ４…固定環  ４ａ…環状溝  ４ｂ…開口部  ４ｃ…ピン挿通孔  ４ｄ…長孔  ５…可動環  ５ａ…歯  ６…レバー  ６ａ…先端部  ７ａ…ローラ  ７ｂ…スプロケット  ８…開口部  ９…ネジ部材  １０…配電盤  １１…ケーブル  １２…筐体      
【図１】
0006660590.tif 000002
【図２】
0006660590.tif 000003
【図３】
0006660590.tif 000004
【図４】
0006660590.tif 000005
【図５】
0006660590.tif 000006
【図６】
0006660590.tif 000007